(57)【要約】【課題】本発明は、良好にグリッド電極と放電ワイヤとを清掃することが出来る帯電器の提供することを目的とする。【解決手段】清掃部材１０９は、操作部１１０、連結部１１２および保持部１１３を有する。ＰＥＴフィルム等から形成される接触部材１５０は、保持部１１３によって保持されている。保持部１１３は、放電ワイヤ１０１とグリッド電極１０２との間に配置されている。【選択図】        図３
2013114018.tif 000002
【特許請求の範囲】
【請求項１】
第１方向に沿って延設される放電ワイヤと、
前記第１方向に沿って延び、前記放電ワイヤと対向するグリッド電極と、
前記グリッド電極と前記放電ワイヤとに接触しながら前記第１方向に移動することで、前記グリッド電極と前記放電ワイヤとを清掃する清掃部材と、を備え、
前記清掃部材は、
前記グリッド電極と前記放電ワイヤとに接触するシート状の接触部材と、
前記接触部材を前記グリッド電極と前記放電ワイヤとの間で保持する保持部と、を有することを特徴とする帯電器。
【請求項２】
前記清掃部材は、前記接触部材を前記第１方向に沿って操作させる操作部材を有することを特徴とする請求項１に記載の帯電器。
【請求項３】
前記接触部材は、前記第１方向に貫通するように形成された開口部を有し、
前記放電ワイヤは、前記開口部内に配置され、
前記開口部は、前記放電ワイヤと接触するワイヤ接触部を有する請求項２に記載の帯電器。
【請求項４】
前記ワイヤ接触部は、前記開口部を形成する縁部の前記グリッド電極側の部分であることを特徴とする請求項３に記載の帯電器。
【請求項５】
前記接触部材は、前記開口部から前記接触部の外周縁部まで前記グリッド電極から離れる向きに延びる切込み部を有することを特徴とする請求項３または請求項４に記載の帯電器。
【請求項６】
前記保持部から前記グリッド電極までの距離は、前記保持部から前記放電ワイヤまでの距離よりも短いことを特徴とする請求項３から請求項５のいずれかに記載の帯電器。
【請求項７】
前記接触部材は、前記グリッド電極と接触するグリッド接触部を有し、
前記操作部材は、待機状態のときは前記放電ワイヤの一端側の待機位置に位置し、
前記グリッド接触部は、前記待機位置から前記放電ワイヤの他端側に向かう方向において下流側に向けて突出する突出部を有することを特徴とする請求項６に記載の帯電器。
【請求項８】
前記操作部材は、待機状態のときは前記放電ワイヤの一端側の待機位置に位置し、
前記接触部材は、前記放電ワイヤの一端側から他端側に向かう方向において、前記グリッド接触部が前記ワイヤ接触部より下流側に位置するように前記放電ワイヤに対して傾斜していることを特徴とする請求項７に記載の帯電器。
【請求項９】
前記保持部は、前記接触部材に沿って前記グリッド電極側に延び、前記接触部材と当接する当接部を有し、
前記当接部は、前記放電ワイヤの一端側から他端側に向かう方向において、前記接触部材に対して上流側に配置されていることを特徴とする請求項８に記載の帯電器。
【請求項１０】
前記操作部材は、前記放電ワイヤに付着した異物を収容する異物収容部を有し、
前記異物収容部は、前記放電ワイヤと前記グリッド電極との間に配置されていることを特徴とする請求項１から請求項９のいずれかに記載の帯電器。
【請求項１１】
前記第１方向から見て、前記放電ワイヤ挟むように互いに対向して配置される一対のシールド板を有し、
前記接触部材は、一対の前記シールド板の前記放電ワイヤ側の面と接触するシールド接触部を有する請求項１から請求項１０のいずれかに記載の帯電器。
【請求項１２】
前記グリッド電極と、一対の前記シールド板と、前記清掃部材と、を支持するフレームを有し、
一対の前記シールド板は、一対の前記シールド板の対向方向である第二方向において、前記グリッド電極によって架設され、
前記フレームは、
前記第二方向において、一対の前記シールド板を挟んで前記放電ワイヤとは反対側に配置される一対の第１壁と、
前記第１方向から見て、前記第１壁の前記グリッド電極とは反対側の端部をつなぐ第２壁と、
を有し、
前記操作部材は、
前記第１方向から見て、前記第２壁を挟んで前記放電ワイヤとは反対側に配置される操作部と、
前記保持部と前記操作部とを連結する連結部と、
を有し、
前記第２壁は、前記第１方向に沿い前記連結部が配置される連結孔を有し、
前記連結孔は、前記第１方向から見て、前記放電ワイヤと前記一対の第１側壁との間に設けられていることを特徴とする請求項２から請求項１１のいずれかに記載の帯電器。
【請求項１３】
前記連結部は、前記第１方向から見て前記放電ワイヤを挟むように一対で設けられていることを特徴とする請求項１２に記載の帯電器。
【発明の詳細な説明】
【技術分野】
【０００１】
本発明は、電子写真方式の画像形成装置に用いられる帯電器に関する。
【背景技術】
【０００２】
電子写真方式の画像形成装置において、スコロトロン型の帯電器によって感光ドラムを帯電させるものが知られている。スコロトロン型帯電器は、感光ドラムの軸方向に延びる放電ワイヤと、放電ワイヤと感光ドラムとの間に配置されるグリッド電極と、グリッド電極と放電ワイヤとに接触して清掃する清掃部材とを備えるものが知られている。
【０００３】
清掃部材は、グリッド電極と放電ワイヤとに摺接して清掃するフィルム状の摺接部材と、感光ドラムの軸方向に沿って往復移動する摺接部ホルダと、を備える。摺接部ホルダは、放電ワイヤを挟んでグリッド電極とは反対側に設けられている（例えば特許文献１）。
【先行技術文献】
【特許文献】
【０００４】
【特許文献１】実開平４−２４７５９号公報
【発明の概要】
【発明が解決しようとする課題】
【０００５】
しかしながら、特許文献１に開示された清掃部材は、摺接部ホルダが放電ワイヤを挟んでグリッド電極とは反対側に設けられていることから、十分な力で摺接部材をグリッド電極に対して接触させることが出来ないことがある。従って、良好にグリッド電極を清掃することが出来ないおそれがあった。
【０００６】
そこで、本発明は、良好にグリッド電極と放電ワイヤとを清掃することが出来る帯電器の提供することを目的とする。
【課題を解決するための手段】
【０００７】
（１）上記した目的を達成するために、本願発明の帯電器は、第１方向に沿って架設される放電ワイヤと、第１方向に沿って延び、放電ワイヤと対向するグリッド電極と、グリッド電極と放電ワイヤとの接触しながら第１方向に沿って移動することで、グリッド電極と放電ワイヤとを清掃する清掃部材と、を備える。
【０００８】
清掃部材は、グリッド電極と放電ワイヤとに接触するシート状の接触部材と、接触部材を放電ワイヤとグリッド電極との間で保持する保持部を有する。
【０００９】
このような構成によれば、接触部材を保持する保持部がグリッド電極と放電ワイヤとの間にあるので、接触部材をグリッド電極に向けてより良好に接触させることが出来る。
【００１０】
従って、放電ワイヤとグリッド電極とを良好に清掃することが出来る。
【００１１】
（２）また、清掃部材は、接触部材を第１方向に移動させる操作部材を有し、操作部材は保持部を有していても良い。
【００１２】
このような構成によれば、操作部材の移動に伴って放電ワイヤとグリッド電極とを清掃することが出来る。
【００１３】
従って、容易に放電ワイヤとグリッド電極とを清掃することが可能となる。
【００１４】
（３）また、接触部材は、１方向に貫通するように形成された開口部を有し、放電ワイヤは、開口部内に配置される。この場合、開口部は、前記放電ワイヤと接触するワイヤ接触部を有していても良い。
【００１５】
このような構成によると、放電ワイヤを接触部材と接触させることができ、良好に放電ワイヤを清掃することが出来る。
【００１６】
（４）更に、ワイヤ接触部は、開口部を形成する縁部のグリッド電極側の部分であることが好ましい。
【００１７】
このような構成によると、放電ワイヤのグリッド電極側の部分を清掃できる。
【００１８】
（５）更に、接触部材は、開口部から接触部材の外周縁部までグリッド電極から離れる向きに延びる切込み部を有することが好ましい。
【００１９】
このような構成によると、容易に放電ワイヤを開口部内に配置できる。
【００２０】
（６）また、保持部からグリッド電極までの距離は、保持部から放電ワイヤまでの距離よりも短くても良い。
【００２１】
このような構成によると、接触部材が放電ワイヤにかける荷重を低減しつつグリッド電極を良好に清掃することが出来る。
【００２２】
（７）また、接触部材は、グリッド電極と接触するグリッド接触部を有し、操作部材は、待機状態のときは放電ワイヤの一端側の待機位置に位置している。この場合、グリッド接触部は、待機位置から放電ワイヤの他端側に向かう方向において下流側に向けて突出する突出部を有していても良い。
【００２３】
このような構成によると、突出部でグリッド電極に付着した異物を掻き取ることができるので、良好なグリッド電極の清掃が可能となる。
【００２４】
（８）また、操作部材は、待機状態のときは放電ワイヤの一端側の待機位置に位置している。この場合、接触部材は、放電ワイヤの一端側から他端側に向かう方向において、グリッド接触部がワイヤ接触部より下流側に位置するように前記放電ワイヤに対して傾斜していても良い。
【００２５】
このような構成によると、角度をもって接触部材がグリッド電極に接触することから、より良好なグリッド電極の清掃が可能となる。
【００２６】
（９）更に、保持部は、接触部材に沿ってグリッド電極側に延び、接触部材と当接する当接部を有している。この場合、当接部は、放電ワイヤの一端側から他端側に向かう方向において、接触部材に対して上流側に配置されていることが好ましい。
【００２７】
このような構成によると、保持部が当接部を有する場合は、接触部材の傾斜角度を良好に保つことが出来る。
【００２８】
（１０）また、操作部材は、放電ワイヤに付着した異物を収容する異物収容部を有する。この場合、異物収容部は、放電ワイヤとグリッド電極との間に配置されていても良い。
【００２９】
このような構成によると、電ワイヤから掻き取られた異物がグリッド電極に付着することを低減でき、より良好に帯電器の清掃を行うことが出来る。
【００３０】
（１１）また、第１方向から見て、放電ワイヤ挟むように互いに対向して配置される一対のシールド板を有する。この場合、接触部材は、一対のシールド板の放電ワイヤ側の面と接触するシールド接触部を有していても良い。
【００３１】
このような構成によると、グリッド電極と放電ワイヤを清掃しつつ、シールドの放電ワイヤ側の面を良好に清掃することが出来る。
【００３２】
（１２）グリッド電極と、一対の前記シールド板と、清掃部材と、を支持するフレームを有し、一対のシールド板は、一対のシールド板の対向方向である第二方向において、グリッド電極によって架設され、フレームは、第二方向において、一対のシールド板を挟んで放電ワイヤとは反対側に配置される一対の第１壁と、第１方向から見て、第１壁のグリッド電極とは反対側の端部をつなぐ第２壁と、を有し、操作部材は、第１方向から見て、第２壁を挟んで放電ワイヤとは反対側に配置される操作部と、保持部と操作部とを連結する連結部と、を有し、第２壁は、第１方向に沿い連結部が配置される連結孔を有し、連結孔は、前記第１方向から見て、放電ワイヤと一対の第１壁との間に設けられていても良い。
【００３３】
このような構成によると、連結孔を解して帯電器内に進入した異物が放電ワイヤの付着することを低減できる。
【００３４】
（１３）更に、連結部は、第１方向から見て放電ワイヤを挟むように一対で設けられていることが好ましい。
【００３５】
このような構成によると、操作部材の剛性を高めつつ、より良好に接触部材をグリッド電極に向けて接触させることが出来る。
【発明の効果】
【００３６】
本発明の帯電器によれば、接触部材を保持する保持部がグリッド電極と放電ワイヤとの間にあるので、接触部材をグリッド電極に向けてより良好に接触させることが出来る。
【図面の簡単な説明】
【００３７】
【図１】図１は、レーザプリンタの断面の模式図である。
【図２】図２（ａ）は、帯電器の前後方向から見た側面図である。図２（ｂ）は、帯電器の平面図である。
【図３】図３は、帯電の左右方向における断面図である。
【図４】図４は、清掃部材の前側上方から見た斜視図である。
【図５】図５は、清掃部材を後方から見た側面図である。
【図６】図６は、膨出部の前後方向における断面図である。
【図７】図７は、異物収容部の前後方向における断面図である。
【図８】図８は、接触部材を左右方向からみた図である。
【図９】図９は、グリッド接触部の前後方向における拡大断面図である。
【図１０】図１０は、変形例における清掃部材を前側上方から見た斜視図である。
【図１１】図１１は、変形例における帯電器の右側から見た側断面図である。
【発明を実施するための形態】
【００３８】
次に、本発明の第１実施形態について、適宜図面を参照しながら詳細に説明する。なお、以下の説明では、実施形態に係る帯電器１００を備えた画像形成装置の一例としてのレーザプリンタ１の概略構成について説明した後、帯電器１００の詳細な構成について説明する。
【００３９】
また、レーザプリンタ１の概略構成の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００４０】
＜レーザプリンタの概略構成＞
図１に示すように、レーザプリンタ１は、本体筐体２内に、用紙Ｓを供給する給紙部３と、露光装置４と、用紙上にトナー像を転写するプロセスカートリッジ５と、用紙上のトナー像を熱定着する定着装置８とを主に備えている。
【００４１】
給紙部３は、本体筐体２内の下部に設けられ、給紙トレイ３１と、用紙押圧板３２と、給紙機構３３とを主に備えている。給紙トレイ３１に収容された用紙は、用紙押圧板３２によって上方に寄せられ、給紙機構３３によってプロセスカートリッジ５（感光体ドラム６１と転写ローラ６３との間）に向けて供給される。
【００４２】
露光装置４は、本体筐体２内の上部に配置され、図示しないレーザ発光部やポリゴンミラー、レンズ、反射鏡などを備えている。この露光装置４では、レーザ発光部から出射される画像データに基づくレーザ光（鎖線参照）が、感光体ドラム６１の表面で高速走査されることで、感光体ドラム６１の表面を露光する。
【００４３】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、感光体ユニット６と、現像ユニット７とから構成されている。
【００４４】
感光体ユニット６は、感光体の一例としての正帯電性の感光体ドラム６１と、帯電器１００と、転写ローラ６３とを主に備えている。
【００４５】
現像ユニット７は、感光体ユニット６に対して着脱自在となっており、感光体ユニット６に装着された状態、すなわち、プロセスカートリッジ５として本体筐体２に対し着脱可能に装着されるように構成されている。この現像ユニット７は、現像ローラ７１と、供給ローラ７２と、層厚規制ブレード７３と、トナー（現像剤）を収容するトナー収容部７４とを主に備えている。
【００４６】
プロセスカートリッジ５では、感光体ドラム６１の表面が、帯電器１００により一様に正帯電された後、露光装置４からのレーザ光の高速走査によって露光されることで、感光体ドラム６１上に画像データに基づく静電潜像が形成される。また、トナー収容部７４内のトナーは、図示しないアジテータによって撹拌されながら、まず供給ローラ７２に供給され、次いで供給ローラ７２から現像ローラ７１に供給される。そして、現像ローラ７１の回転に伴って、現像ローラ７１と層厚規制ブレード７５の間に進入して一定厚さの薄層として現像ローラ７１上に担持される。
【００４７】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、感光体ドラム６１と転写ローラ６３の間を用紙が搬送されることで感光体ドラム６１上のトナー像が用紙上に転写される。
【００４８】
定着装置８は、プロセスカートリッジ５の後方に配置され、加熱ローラ８１と、加熱ローラ８１と対向配置されて加熱ローラ８１を押圧する加圧ローラ８２とを主に備えている。この定着装置８では、用紙上に転写されたトナー像を、用紙が加熱ローラ８１と加圧ローラ８２との間を通過する間に熱定着させている。トナー像が熱定着された用紙は、排紙ローラ２３によって排紙トレイ２２上に排出される。
【００４９】
＜帯電器の具体的な構成＞
次に帯電器１００の具体的な構成について説明する。図２（ａ）は、帯電器１００の前後方向から見た側面図である。図２（ｂ）は、帯電器１００の平面図である。図３は、帯電１００の左右方向における断面図である。図４は、清掃部材１０９の前側上方から見た斜視図である。図５は、清掃部材１０９を後方から見た側面図である。図６は、膨出部１２２の前後方向における断面図である。図７は、異物収容部１２３の前後方向における断面図である。図８は、接触部材１５０を左右方向からみた図である。図９は、グリッド接触部１５５の前後方向における拡大断面図である。
【００５０】
図２および図３に示すように、帯電器１００は、放電ワイヤ１０１、グリッド電極１０２、一対のシールド１０３、フレーム１０４および清掃部材１０９を備える。清掃部材１０９は、待機時においては、待機位置（放電ワイヤに１０１の左側）に配置されている。
【００５１】
放電ワイヤ１０１は、所定の電圧が印加されることで放電を発生させる金属製のワイヤであり、第１方向、具体的には、感光ドラム６１の軸方向（左右方向）に沿って延設される。
【００５２】
グリッド電極１０２は、放電ワイヤ１０１と異なる電位に設定されることで、感光ドラム６１の帯電量を制御する金属製の板状部材であり、放電ワイヤ１０１と感光ドラム６１との間に設けられ、左右方向に沿って延びている。
【００５３】
一対のシールド１０３は、放電ワイヤ１０１を挟んで前後方向に対向して設けられた金属製の板状部材である。なお、前記したグリッド電極１０２は、一対のシールド１０３の下端部（感光ドラム６１側の端部）をつないでおり、一対のシールド１０３と略直交するように設けられている。
【００５４】
図３に示すように、フレーム１０４は、第１壁の一例としての一対の側壁１０５および第２壁の一例としての上壁１０６を備える。一対の側壁１０５は、後側側壁１０５ａと前側側壁１０５ｂとを有する。一対の側壁１０５、は前後方向において間隔を空けて対向して配置されており、一対のシールド１０３の外側に一対のシールド１０３と隣り合うように設けられている。
【００５５】
上壁１０６は、後側側壁１０５ａの上側端部（感光ドラム６１とは反対側の端部）から前方に向かって延びている。上壁１０６の前側端部と前側側壁１０５ｂとは、所定の間隔を空けて配置されることで、連結孔の一例としてのガイド開口部１０７が形成されている（図２（ｂ）参照）。ガイド開口部１０７は、上下方向に貫通した開口であり、左右方向に沿って設けられている。上壁１０６の前側端部には、上方に向けて突出する凸部１０８が設けられている。凸部１０８は、左右方向に沿って設けられている。
【００５６】
図３に示すように清掃部材１０９は、操作部材１１０および接触部材１５０を備える。操作部材１１０は、操作部１１１、連結部１１２および保持部１１３を備える。操作部１１１は、樹脂製の部材でありガイド開口１０７に沿って左右方向において往復移動可能に設けられている。
【００５７】
図３に示すように操作部１１１は、上面部１１４および屈曲部１１５を備える。上面部１１４は、上方から見て略矩形状であり、上壁１０６の上方に隣接配置されている。上面部１１４の上壁１０６側の面には、下方から上方に向かって凹む凹部１１６が設けられている。屈曲部１１５は、上面部１１４の前側端部から下方に向かって屈曲している部分である。凹部１１６内には、凸部１０８と前側側壁１０５ｂの上側部分とが配置される。これによって、操作部１１１は、凸部１０８と前側側壁１０５ｂの上側部分とに沿って、左右方向に良好に操作される。
【００５８】
連結部１１２は、上面部１１４の凹部１１６に対応する部分から下方に延びる柱上の部材である。連結部１１２は、後述する保持部１１３と操作部１１１とを連結している。連結部１１２の下端部からは、後方に向かって延びる保持部１１３が設けられている。
【００５９】
図３、図４、図５に示すように保持部１１３は、基部１２０、一対の保持突部１２１、当接部１２２および異物収容部１２３を備える。基部１２０は、連結部１１２の下端部と繋がる柱状の部材であり、放電ワイヤ１０１とグリッド電極１０２と間で前後方向（一対のシールド１０３の対向方向）に沿って延びている。
【００６０】
図３に示すように、左右方向から見て、放電ワイヤ１０１から保持突部１２１（後述すする第１開口１５１の上下方向における中心）までの上下方向における長さＬ１は、グリッド電極１０２から保持突部１２１（第１開口１５１の上下方向における中心）までの上下方向における長さＬ２よりも長い。
【００６１】
図５および図６に示すように、一対の保持突部１２１は、基部１２０から左右方向に沿って突出している。一対の保持突部１２１は、前後方向から見て略三角形であり、基部１２０から上下方向に膨出する膨出部１２４と、基部１２０から右方に突出する先端部１２５とを有する。
【００６２】
保持突部１２１は、左から右に向かうにつれその上下方向の長さが短くなるように先端部１２５と膨出部１２４とが傾斜面１２８でつながれている。また、膨出部１２４は、基部１２０よりも上方に膨出する上側膨出部１２４ａ、基部１２０よりも下方に膨出する下側膨出部１２４ｂを備える。下側膨出部１２４ｂは、上側膨出部１２４ａより右側に位置している。
【００６３】
図６に示すように、当接部１２２は、基部１２０を挟んで上下方向に突出している。当接部１２２は、接触部材１５０と当接する当接面１２６を有する。当接面１２６は、上方から下方に向かうにつれて下側端部１２７が右方に位置するように傾斜している。保持突部１２１は、当接面１２６から右方に向けて突出している。
【００６４】
図４および図７に示すように、異物収容部１２３は、左右方向において一対の保持突部１２１および一対の当接部１２２の間において、基部１２０から右方に突出するように設けられている。
【００６５】
異物収容部１２３は、箱形状をしており、一対の側壁１３０、右壁１３１および底壁１３２を有する。異物収容部１２３には、一対の側壁１３０、右壁１３１および後述する第２開口１５２の縁部によって異物受入開口１３３が形成されている。底壁１３２の左側端部は、後述するワイヤ接触部１５４よりも左側に位置している。
【００６６】
図８に示すように、接触部材１５０は、ＰＥＴフィルム等のシート状の部材より形成されている。接触部材１５０は、本体部１５８、一対の第１開口部１５１、第２開口部１５２、開口部の一例としてのワイヤ挿入開口１５３、ワイヤ接触部１５４、グリッド接触部１５５およびシールド接触部１５６を備える。
【００６７】
第１開口部１５１は、左右方向に貫通された矩形状の開口であり、保持突部１２１が挿入される開口である。第１開口部１５１は、上下方向の長さが膨出部１２４の上下方向の長さよりも若干幅狭となるように形成されている（図７参照）。第１開口部１５１は、前後方向の長さが膨出部１２４の前後方向の長さとほぼ等しくなるように形成されている。
【００６８】
第２開口部１５２は、一対の第１開口部１５１の間において、異物収容部１２３と対応する位置に形成されている。第２開口部１５２は、左右方向に貫通された矩形状の開口である。第２開口部１５２は、上下および前後方向の長さが異物収容部１２３の上下および前後方向の長さと略等しくなるように形成されている。
【００６９】
ワイヤ挿入開口１５３は、左右方向において貫通し、接触部材１５０の上端部から下方に向かって形成された開口である。ワイヤ開口部１５３の前後方向における幅は、放電ワイヤ１０１の直径とほぼ等しい（放電ワイヤ１０１の直径よりやや広い）。ワイヤ開口部１５３の下端部の縁は、放電ワイヤ１０１のグリッド電極１０２側の面と接触するワイヤ接触部１５４である。
【００７０】
具体的に、ワイヤ接触部１５４は、ワイヤ挿入開口１５３の下側端部において略Ｕ字形状に湾曲する部分である。また、ワイヤ挿入開口１５３の上端部からは、上方に向かうに従って前後方向の間隔が次第に広がる様に略Ｖ字形状の切り込み部１５７が本体部１５８の外周縁部によって形成されている。
【００７１】
グリッド接触部１５５は、本体部１５８の下側縁部であり前後方向に延びるように形成されている。グリッド接触部１５５は、接触部材１５０が保持部１１３に取り付けられた状態で全体がグリッド電極１０２と接触する。シールド接触部１５６は、グリッド接触部１５５の前後方向における端部から上方に向かって延びるように形成された本体部１５８の縁部である。シールド接触部１５６は、接触部材１５０が保持部１１３に取り付けられた状態で、一対のシールド１０３の下端部の内面（放電ワイヤ１０１側の面）と接触する。
【００７２】
また、図９に示すようにグリッド接触部１５５は、グリッド接触部１５５と一体である右方に突出する突出部１５９を有する。突出部１５９は、グリッド接触部１５５の前後方向に亘って複数設けられている。突出部１５９は、操作部材１２０が左方から右方に移動することで、グリッド電極１０２と接触する。
【００７３】
以上より、帯電器１００は以下のような効果を有する。帯電器１００は、接触部材１５０を保持する保持部１１３がグリッド電極１０２と放電ワイヤ１０１との間にあるので、接触部材をグリッド電極に向けてより良好に接触させることが出来る。
【００７４】
また、清掃部材１０９が操作部材１２０を有し、操作部材１２０が保持部１１３を備えている場合は、操作部材１２０の移動に伴って放電ワイヤ１０１とグリッド電極１０２とを清掃することが出来る。
【００７５】
また、ワイヤ接触部１５４は、ワイヤ挿入開口１５３を形成する縁部のグリッド電極１０２側の部分である場合は、放電ワイヤ１０１のグリッド電極側１０２の部分を清掃できる。
【００７６】
また、接触部材１５０が切り込み部１５７を有する場合は、容易に放電ワイヤ１０１をワイヤ挿入開口１５３内に配置できる。
【００７７】
また、保持部１１３からグリッド電極１０２までの距離が保持部１１３から放電ワイヤ１０１までの距離よりも短い場合は、接触部材１５０が放電ワイヤ１０１にかける荷重を低減しつつグリッド電極１０２を良好に清掃することが出来る。
【００７８】
また、グリッド接触部１５５が突出部１５９を有する場合は、突出部１５９でグリッド電極１０２に付着した異物を掻き取ることができるので、良好なグリッド電極１０２の清掃が可能となる。
【００７９】
また、グリッド接触部１５５がワイヤ接触部１５４より操作部材１２０の移動方向において下流側に位置するように接触部材１５０放電ワイヤ１０１に対して傾斜している場合は、角度をもって接触部材１５０がグリッド電極１０２に接触することから、より良好なグリッド電極１０２の清掃が可能となる。
【００８０】
また、保持部１１３が当接部１２２を有する場合は、接触部材１５０の傾斜角度を良好に保つことが出来る。
【００８１】
また、操作部材１２０が異物収容部１２３を有する場合は、帯電ワイヤ１０１から掻き取られた異物がグリッド電極１０２に付着することを低減でき、より良好に帯電器１００の清掃を行うことが出来る。
【００８２】
また、接触部材１５０がシールド接触部１５６を有する場合は、グリッド電極１０２と放電ワイヤ１０１を清掃しつつ、一対のシールド１０３の放電ワイヤ１０１側の面を良好に清掃することが出来る。
【００８３】
また、ガイド開口１０７が第１方向から見て放電ワイヤ１０１と一対の側壁１０５との間に配置される場合は、ガイド開口１０７を解して帯電器１００内に進入した異物が放電ワイヤ１０１の付着することを低減できる。
【００８４】
＜変形例＞
次に、図１０と図１１とを用いて変形例の説明をする。図１０は、清掃部材１０９を前側上方から見た斜視図である。図１１は、帯電器１００の右側から見た側断面図である。
【００８５】
変形例の説明において、上記実施形態と同一の構成については、同一の番号を付し説明を省略する。図１０に示すように、操作部材１７０は、操作部１１１、第１連結部１６０、第２連結部１６１、第３連結部１６２および保持部１１３を備える。
【００８６】
図１１に示すように、第１連結部１６０は、保持部１１３と操作部１１１とを連結し、前側側壁１０５ｂと放電ワイヤ１０１との間に配置される。第２連結部１６１は、後側側壁１０５ａと放電ワイヤ１０１との間に配置され、下側端部が保持部１１３の前側端部と連結される。第３連結部１６２は、上壁１０６と放電ワイヤ１０１との間に配置され、後側端部が第１連結部１６０と接続され前側端部が第２連結部１６１と接続される。
【００８７】
このような構成により、操作部材１７０の剛性を高めつつ、グリッド接触部１５５は前後方向において良好にグリッド電極１０３と接触される。
【００８８】
また、本実施形態において、帯電器１００は、感光ドラム６１を帯電するものを例として説明したが、転写装置として用いても良い。
【００８９】
また、突出部１５９は、接触部材１５０を裁断したときに生じるバリであっても良い。
【００９０】
また、第２連結部１６１は、操作部１１１と直接連結されていても良い。
【符号の説明】
【００９１】
１００  帯電器
１０１  放電ワイヤ
１０２  グリッド電極
１０３  シールド
１０４  フレーム
１０５  側壁
１０６  上壁
１１２  連結部
１１３  保持部
１２１  保持突部
１２２  当接部
１２３  異物収容部
１５３  ワイヤ挿入開口
１５４  ワイヤ接触部
１５５  グリッド接触部
１５６  シールド接触部
１５９  突出部
【図１】
2013114018.tif 000003
【図２】
2013114018.tif 000004
【図３】
2013114018.tif 000005
【図４】
2013114018.tif 000006
【図５】
2013114018.tif 000007
【図６】
2013114018.tif 000008
【図７】
2013114018.tif 000009
【図８】
2013114018.tif 000010
【図９】
2013114018.tif 000011
【図１０】
2013114018.tif 000012
【図１１】
2013114018.tif 000013